(57)【要約】【課題】  人が投げて飛行させることができ、しかもペットが噛んで遊ぶこともできて、犬等のペットが長期間にわたって興味を持って遊ぶことができるペット用玩具を提供する。【解決手段】  ペットが噛んで遊ぶことが可能でかつ投げて飛行させることが可能な可撓性又は弾力性を有する盤状の玩具本体２を備え、玩具本体２の外周部に中央部よりも膨出した膨らみ部１１が環状に配設され、ペットが玩具本体２を噛んだりくわえたりすることで音が出るように玩具本体２に音発生器が設けられている。また、回転しながら飛行するときの回転中心がぶれなくなるように、玩具本体２の中央部にペットが噛んで遊ぶことが可能な軟質の中央突出体３が上方突設されている。【選択図】図１
2013223431.tif 000002
【特許請求の範囲】
【請求項１】
ペットが噛んで遊ぶことが可能でかつ投げて飛行させることが可能な可撓性又は弾力性を有する盤状の玩具本体（２）を備え、玩具本体（２）の外周部に中央部よりも膨出した膨らみ部（１１）が環状に配設され、ペットが玩具本体（２）を噛んだりくわえたりすることで音が出るように玩具本体（２）に音発生器が設けられていることを特徴とするペット用玩具。
【請求項２】
回転しながら飛行するときの回転中心がぶれなくなるように、玩具本体（２）の中央部にペットが噛んで遊ぶことが可能な軟質の中央突出体（３）が上方突設されていることを特徴とする請求項１に記載のペット用玩具。
【請求項３】
玩具本体（２）は表面材（２ａ）と裏面材（２ｂ）とを重合してなり、表面材（２ａ）と裏面材（２ｂ）とを放射状に縫い付けて玩具本体（２）を盤状に保形するように玩具本体（２）の中央部から外周に向けて複数の放射状の縫い目（９）が形成され、玩具本体（２）の外周部の表面材（２ａ）と裏面材（２ｂ）との間であって前記複数の縫い目（９）間に前記膨らみ部（１１）がそれぞれ形成されていることを特徴とする請求項１又は２に記載のペット用玩具。
【請求項４】
前記音発生器は押圧により空気を放出して鳴る笛（１２）により構成されて、前記複数の膨らみ部（１１）内にそれぞれ収納されていることを特徴とする請求項３に記載のペット用玩具。
【請求項５】
前記玩具本体（２）にペットが噛むことが可能な可撓性を有する突出片（１７）が間隔をおいて複数個突設されていることを特徴とする請求項１〜４のいずれかに記載のペット用玩具。
【発明の詳細な説明】
【技術分野】
【０００１】
本発明は、犬等のペットを遊ばせるためのペット用玩具に関するものである。
【背景技術】
【０００２】
従来の犬用のペット用玩具には、飛行させることができるようにプラスチック素材により円盤状に形成し、人が投げて飛行させてそれを犬がキャッチして遊ぶようにしたものがある（例えば引用文献１）。
また、他の従来の犬用のペット用玩具には、ゴム弾性体からなる中空状の基本部と、基本部の一部に設けられた笛部とを備え、基本部を犬が噛んだりくわえたりすることで、基本部の弾性変形に伴い基本部内の空気が笛部の開口孔から吐出して笛部から音が出るように構成したものがある（例えば引用文献２）。
【先行技術文献】
【特許文献】
【０００３】
【特許文献１】実用新案登録第３１１５０１６号公報
【特許文献２】実用新案登録第３０６１２７３号公報
【発明の概要】
【発明が解決しようとする課題】
【０００４】
しかし、前者の従来の場合は、比較的硬質のプラスチック素材により円盤状に形成されているため、強い力で噛むと容易に破損してしまうこととなり、このため犬等のペットが噛んで遊ぶことができないので、特に小犬に対しておもしろみに欠け、すぐに興味を失って遊ばなくなるという問題があった。
また、後者の従来の場合は、噛んで遊ぶことができてしかも噛むことにより音が出るため、この点では子犬等が興味を持つが、投げて飛行させることができないため、人が投げて飛行させてそれを犬がキャッチして遊ぶというような、人とペットとが相互に関わりながら遊ぶことができず、この場合もすぐに興味を失って遊ばなくなるという問題があった。
【０００５】
本発明は上記問題点に鑑み、人が投げて安定した飛行をさせることができ、しかもペットが噛んで遊ぶこともできて、犬等のペットが長期間にわたって興味を持って遊ぶことができるペット用玩具を提供することを目的としている。
【課題を解決するための手段】
【０００６】
本発明における課題解決のための具体的手段は、次の通りである。
この技術的課題を解決する本発明の技術的手段は、ペットが噛んで遊ぶことが可能でかつ投げて飛行させることが可能な可撓性又は弾力性を有する盤状の玩具本体２を備え、玩具本体２の外周部に中央部よりも膨出した膨らみ部１１が環状に配設され、ペットが玩具本体２を噛んだりくわえたりすることで音が出るように玩具本体２に音発生器が設けられている点にある。
【０００７】
また、本発明の他の技術的手段は、回転しながら飛行するときの回転中心がぶれなくなるように、玩具本体２の中央部にペットが噛んで遊ぶことが可能な軟質の中央突出体３が上方突設されている点にある。
また、本発明の他の技術的手段は、玩具本体２は表面材２ａと裏面材２ｂとを重合してなり、表面材２ａと裏面材２ｂとを放射状に縫い付けて玩具本体２を盤状に保形するように玩具本体２の中央部から外周に向けて複数の放射状の縫い目９が形成され、玩具本体２の外周部の表面材２ａと裏面材２ｂとの間であって前記複数の縫い目９間に前記膨らみ部１１がそれぞれ形成されている点にある。
【０００８】
また、本発明の他の技術的手段は、前記音発生器は押圧により空気を放出して鳴る笛１２により構成されて、前記複数の膨らみ部１１内にそれぞれ収納されている点にある。
また、本発明の他の技術的手段は、前記玩具本体２にペットが噛むことが可能な可撓性を有する突出片１７が間隔をおいて複数個突設されている点にある。
【発明の効果】
【０００９】
本発明によれば、盤状の玩具本体をペットが噛んで遊ぶことができて、しかも噛んだりくわえたりすることで音が出るので、子犬等でも興味を持つことができる。
また、投げて飛行させることが可能であるため、人が投げて飛行させてそれを犬がキャッチして遊ぶというような、人とペットとが互いに関わりながら遊ぶことができ、犬等のペットが興味を持って長く遊ぶことができる。しかも、玩具本体の外周部に中央部よりも膨出した膨らみ部が環状に配設されているため、回転しながらより遠くに長い期間に亘って飛行させることができ、ペットがより一層興味を持つことができる。
【図面の簡単な説明】
【００１０】
【図１】本発明の一実施形態を示すペット用玩具の平面図である。
【図２】同ペット用玩具の正面図である。
【図３】同ペット用玩具の底面図である。
【図４】同図１のＡ−Ａ線断面図である。
【発明を実施するための形態】
【００１１】
以下、本発明の実施の形態を図面に基づいて説明する。
図１〜図４は本発明の一実施形態を示している。図１〜図４において、ペット用玩具１は、盤状の玩具本体２と、玩具本体２の中央部に上方突設された中央突出体３とを備えている。
玩具本体２は、木綿、麻、ポリエステル等の布材やパイル地等の起毛素材により構成した表面材２ａと、木綿、麻、ポリエステル等の布材やパイル地等の起毛素材により構成した裏面材２ｂと、を重合してなり、表面材２ａと裏面材２ｂとの外周同士が互いに縫着されて、六角形の盤状に形成されている。
【００１２】
玩具本体２は、犬等のペットが噛んで遊んでも破損や損傷したりしないように丈夫でかつ可撓性又は弾力性を有し、ペットが噛んで遊ぶことが可能でかつ投げて飛行させることが可能になっている。
玩具本体２にはその中央部から外周に向けて複数の放射状の縫い目９が形成されており、これらの放射状の縫い目９によって表面材２ａと裏面材２ｂとを放射状に縫い付けて玩具本体２を盤状に保形するようにしている。
【００１３】
そして、玩具本体２の外周部の表面材２ａと裏面材２ｂとの間であって前記複数の縫い目９間に膨らみ部１１がそれぞれ形成され、これらの膨らみ部１１は玩具本体２の中央部よりも上下に膨出していて、玩具本体２の外周部に沿って環状に配設され、各膨らみ部１１内にポリエチレン等の合成樹脂により形成した笛１２が収納されている。換言すれば、玩具本体２の外周部の表面材２ａと裏面材２ｂとの間であって前記複数の縫い目９間に笛１２がそれぞれ収納されることによって、玩具本体２の外周部に玩具本体２の中央部よりも膨出した膨らみ部１１が玩具本体２の外周部に環状に配設されているのである。
【００１４】
前記笛１２は空気を収納する胴部１３と空気を吐出する吐出口１４とを有し、胴部１３を押圧することによって胴部１３が凹んで吐出口１４より空気を放出して鳴るように構成されている。複数の笛１２は玩具本体２の外周部に満遍なく環状に配置されており、ペットが玩具本体２を噛んだりくわえたりすることでいずれかの笛１２から音が出るようになっている。而して、複数の笛１２によってペットが玩具本体２を噛んだりくわえたりすることで音が出る音発生器が構成されている。
【００１５】
中央突出体３は、例えばクッション材を布材により被覆して動物の顔やキャラクタの立体形状に形成され、縫着や接着材による接着により玩具本体２の中央部の表面材２ａ側に固着されて、玩具本体２の中央部から上方に突出されている。中央突出体３は丈夫でかつ柔軟に形成されており、犬等のペットが噛んで遊ぶことができるようになっている。また、玩具本体２の中央部にある中央突出体３によって、ペット用玩具１が回転しながら飛行するときの回転中心がぶれなくなって、安定して飛行できるようになっている。中央突出体３の内部に笛１５が収納されている。この笛１５は、前記玩具本体２内の笛１２と同様の構成であり、胴部１８と吐出口１９とを有している。
【００１６】
前記玩具本体２及び中央突出体３に短冊状の突出片１７が間隔をおいて多数散点状に突設されている。多数の突出片１７は可撓性を有する布材等により形成され、玩具本体２又
は中央突出体３に縫着又は接着材による接着により固着されてそれぞれ外方に突出され、ペットが噛んで遊ぶことができるように構成されている。
多数の突出片１７のうちの一部の突出片１７ａは、玩具本体２の外周の各角部からそれぞれ外方突設されている。他の一部の突出片１７ｂは、玩具本体２の表面材２ａの上面に配置されて、その中途部が前記放射状の縫い目９により表面材２ａ上に縫着され、両端側が玩具本体２からＶ字状に上側に突出されている。
【００１７】
また、多数の突出片１７のうちの他の一部の突出片１７ｃは、中央突出体３に縫着又は接着材による接着により固着されて、中央突出体３から外方突出されている。さらに、多数の突出片１７のうちの他の一部の突出片１７ｄは、玩具本体２の裏面材２ｂの下面に配置されて、その中途部が前記放射状の縫い目９により裏面材２ｂ上に縫着され、両端側が玩具本体２からＶ字状に下側に突出されている。
【００１８】
上記実施形態によれば、盤状の玩具本体２をペットが噛んで遊ぶことができて、しかも、噛んだりくわえたりすることで、各膨らみ部１１内に収納された複数の笛１２のうちのいずれかの笛１２が鳴って音が出るので、子犬等でも非常に興味を持って遊ぶことができる。
また、玩具本体２の中央部に上方突設された中央突出体３も噛んで遊ぶことができ、しかも中央突出体３は上方に突出していて噛み易いこともあり、子犬等のペットがより一層興味を持つことになるし、また、玩具本体２及び中央突出体３に多数散点状に配置された短冊状の突出片１７は可撓性を有しており、玩具本体２等から突出しているので噛んだりくわえたりし易く、これもペットが噛んで遊ぶことができるため、より一層の興味を持って長期に亘って遊ぶようになる。
【００１９】
また、例えば玩具本体２の外周部を手で持ってペット用玩具１を水平方向等に回転を効かせながら投げることにより、ペット用玩具１を回転させながら飛行させることができる。しかも、玩具本体２の外周部に中央部よりも膨出した膨らみ部１１が環状に配設されているため、回転しながらより遠くに長い期間に亘って飛行させることができる。また、玩具本体２の中央部に上方突設された中央突出体３があるので、ペット用玩具１が回転しながら飛行するときの回転中心がぶれなくなり、外周部の膨らみ部１１と相俟って、玩具本体２が柔軟であるにもかかわらず、ペット用玩具１を安定的に回転させながら飛行させることができる。なお、玩具本体２が可撓性又は弾力性を有することは安全性の面でも有利であることは云うまでもない。
【００２０】
従って、玩具本体２が可撓性又は弾力性を有しているにも拘わらず、ペット用玩具１を安定に回転させながら長く飛行させることができ、人がペット用玩具１を投げて飛行させてそれを犬がキャッチして遊ぶというような、人とペットとが互いに関わりながら遊ぶことができ、犬等のペットが興味を持って長く遊ぶことができる。
なお、前記実施形態では、玩具本体２は、布材等の表面材２ａと、布材等の裏面材２ｂとを重合してなり、表面材２ａと裏面材２ｂとの外周同士が互いに縫着されて、六角形の盤状に形成されているが、これに代え、玩具本体２を、ゴム材や弾力性又は可撓性を有する合成樹脂材により円形又は四角、三角等の多角形の盤状に形成するようにしてもよい。
【００２１】
また、前記実施形態では、玩具本体２の外周部に複数の膨らみ部１１が玩具本体２の外周部に沿って環状に配設されているが、これに代え、玩具本体２の外周部に、例えば圧縮空気が収納されて玩具本体２の中央部よりも膨出した１つの膨らみ部１１を環状に配設するようにしてもよい。
また、前記実施の形態では、複数の笛１２によってペットが玩具本体２を噛んだりくわえたりすることで音が出る音発生器が構成されているが、これに代え、例えば、１つの笛やおもちゃのラッパ等で構成した音発生器を、玩具本体２に設けた環状の膨らみ部１１に１つだけ装着しておき、この膨らみ部１１のどこかをペットが噛むことによって膨らみ部１１内の空気が音発生器から吐出して鳴るようにしてもよい。
【００２２】
また、前記実施形態では、中央突出体３の内部に笛１５が収納されているが、中央突出体３の内部に、笛１５に代えて又は追加して、鈴その他の音が出るものを収納するようにしてもよい。
【符号の説明】
【００２３】
１      ペット用玩具
２      玩具本体
２ａ    表面材
２ｂ    裏面材
３      中央突出体
９      縫い目
１１    膨らみ部
１２    笛
１７    突出片
【図１】
2013223431.tif 000003
【図２】
2013223431.tif 000004
【図３】
2013223431.tif 000005
【図４】
2013223431.tif 000006